(57)【要約】【課題】機器本体に対し移動自在な可動部を通常の使用状態に位置付けた際に機器本体に設けられた挿入口内にごみや埃が侵入することを完全に防止できる電子機器を提供する。【解決手段】電子機器としてのカーオーディオ１は機器本体２と機器本体２に移動自在に設けられた操作表示ユニット３と駆動機構４と閉塞部材６を備えている。機器本体２の前面１０ａにはスリット１３が設けられている。駆動機構４は前面１０ａを覆う第１の位置と前面１０ａに対して傾いた第２の位置と前面１０ａを開放する第３の位置とに亘って操作表示ユニット３を移動させる。閉塞部材６は背面３ｃに取り付けられかつ操作表示ユニット３が第２の位置に位置付けられると前面１０ａに当接してスリット１３を塞ぐ。【選択図】図７
2008226350.tif 000002
【特許請求の範囲】
【請求項１】
機器本体と、
この機器本体に対して移動自在に設けられた可動部と、
前記可動部を、前記機器本体の一つの面を覆う覆い位置と、前記一つの面に対して傾いた傾斜位置と、前記機器本体の一つの面を開放する開放位置とに亘って移動させる駆動機構と、を備えた電子機器において、
前記一つの面に設けられて前記機器本体に記録媒体を出し入れ自在とする挿入口と、
前記可動部の前記一つの面に相対する背面に取り付けられかつ前記可動部が前記覆い位置と前記傾斜位置の少なくとも一方に位置付けられると前記一つの面に当接して前記挿入口を塞ぐ閉塞部材と、を備えたことを特徴とする電子機器。
【請求項２】
前記閉塞部材は、変形自在な材料で構成されていることを特徴とする請求項１記載の電子機器。
【請求項３】
前記駆動機構は、前記可動部の一端部を前記一つの面から突出させかつ前記可動部の他端部を前記一つの面に沿って移動させることで、前記可動部を前記覆い位置と前記傾斜位置と前記開放位置とに順に移動させるとともに、
当該駆動機構は、前記可動部が前記覆い位置と前記傾斜位置との間に位置付けられると前記閉塞部材が前記一つの面に当接し、かつ前記可動部が前記傾斜位置と前記開放位置との間に位置付けられると前記閉塞部材が前記一つの面から離間するように、前記可動部を案内する案内部を備えたことを特徴とする請求項１又は請求項２記載の電子機器。
【請求項４】
前記駆動機構は、前記可動部の一端部を支持しかつ前記一つの面から突没自在に設けられた突没部材を備え、
前記案内部は、前記可動部が前記開放位置に位置付けられると、前記閉塞部材を前記突没部材に当接させる構成となっていることを特徴とする請求項３記載の電子機器。
【発明の詳細な説明】
【技術分野】
【０００１】
本発明は、例えば、移動体としての自動車などに装着される機器本体に対し移動自在な可動部としてのフロントパネルなどを備えた電子機器に関する。
【背景技術】
【０００２】
移動体としての自動車のインストルメントパネル（以下インパネと呼ぶ）には、電子機器としてのカーオーディオ（例えば、特許文献１参照。）が取り付けられる。カーオーディオは、前記インパネに取り付けられる機器本体と、液晶ディスプレイ等の表示部や各種操作ボタンを有する可動部としてのフロントパネルと、前記フロントパネルを前記機器本体に対して移動させる駆動機構とを備えている。
【０００３】
機器本体は、ＣＤプレーヤ、ＭＤ（Mini disc）プレーヤやナビゲーション装置を構成するＤＶＤ−ＲＯＭプレーヤなどを内蔵している。フロントパネルは、液晶ディスプレイなどに前記ナビゲーション装置における地図情報や、ＣＤプレーヤ及びＭＤプレーヤの再生状況を示す情報などを表示する。また、フロントパネルは、前記ナビゲーション装置、ＣＤプレーヤ、ＭＤプレーヤの各種機能の動作指令を行う際に操作されるタッチスイッチや押圧ボタンが設けられている。
【０００４】
前述したカーオーディオは、インパネに装着する際にかかる設置スペースを抑制するために、機器本体の使用者に相対する面（以下前面と称する）に前記ＣＤ、ＭＤ、ＤＶＤ−ＲＯＭを機器本体内に出し入れ自在とする挿入口を設けている。さらに、カーオーディオは、前記駆動機構が、前面を覆う覆い位置と前記前面に対して傾斜する傾斜位置と前記前面を開放する開放位置とに亘って、フロントパネルを移動可能としている。駆動機構は、フロントパネルの一端部として下端部を前記前面から突出させて、フロントパネルを前記覆い位置と傾斜位置と開放位置に順に移動する。
【０００５】
前述したカーオーディオは、フロントパネルを前述した傾斜位置に位置付けて、液晶ディスプレイに必要な情報を表示する。カーオーディオは、フロントパネルを前述した開放位置に位置付けて、ＣＤ、ＭＤ、ＤＶＤ−ＲＯＭなどを機器本体内に出し入れする。
【特許文献１】特開平１０−１１９６６１号公報
【発明の開示】
【発明が解決しようとする課題】
【０００６】
前述した特許文献１などに示された従来のカーオーディオは、前記挿入口へのごみや埃の侵入を防止するために、当該挿入口の開口部の裏側にＣＤ、ＭＤ、ＤＶＤ−ＲＯＭなどが通過可能なスリットを設けた布などを貼り付けていた。しかしながら、挿入口の開口部に布などを貼り付けても、フロントパネルを前記傾斜位置に位置付けると、挿入口が露出してしまうために、ごみやほこりが挿入口内に侵入し易かった。特に、黄砂などの微小な埃の侵入を完全に防ぐことが困難であった。このように、前述した従来のカーオーディオは、フロントパネルを、通常の使用状態である傾斜位置に位置付けた際に、挿入口内へのごみや埃の侵入を完全に防ぐことができなかった。
【０００７】
したがって、本発明の目的は、例えば、機器本体に対し移動自在な可動部を通常の使用状態に位置付けた際に、機器本体に設けられた挿入口内にごみや埃が侵入することを完全に防止できる電子機器を提供することにある。
【課題を解決するための手段】
【０００８】
前記課題を解決し目的を達成するために、請求項１に記載の本発明の電子機器は、機器本体と、この機器本体に対して移動自在に設けられた可動部と、前記可動部を、前記機器本体の一つの面を覆う覆い位置と、前記一つの面に対して傾いた傾斜位置と、前記機器本体の一つの面を開放する開放位置とに亘って移動させる駆動機構と、を備えた電子機器において、前記一つの面に設けられて前記機器本体に記録媒体を出し入れ自在とする挿入口と、前記可動部の前記一つの面に相対する背面に取り付けられかつ前記可動部が前記覆い位置と前記傾斜位置の少なくとも一方に位置付けられると前記一つの面に当接して前記挿入口を塞ぐ閉塞部材と、を備えたことを特徴としている。
【発明を実施するための最良の形態】
【０００９】
この発明の電子機器は、上記のように、可動部が覆い位置と傾斜位置とのうち少なくとも一方に位置付けられると、閉塞部材が機器本体の一つの面に当接して、挿入口を完全に塞ぐ。こうすることで、通常の使用状態である覆い位置と傾斜位置とのうち少なくとも一方に可動部が位置付けられると、閉塞部材が挿入口を完全に塞ぐので、挿入口内に黄砂などの微小なごみや埃が侵入することを確実に防止できる。
【００１０】
また、この発明の電子機器において、閉塞部材が変形自在な材料で構成されても良い。この場合、閉塞部材と機器本体の一つの面とが確実に密着するので、挿入口内に如何なるごみや埃などが侵入することをより確実に防止できる。なお、本発明でいう閉塞部材を構成する変形自在な材料とは、塑性変形を除く各種の変形が自在な材料を示している。
【００１１】
さらに、駆動機構が、可動部が傾斜位置と開放位置との間に位置付けられると、閉塞部材を機器本体の一つの面から離間させる案内部を備えても良い。この場合、可動部が傾斜位置と開放位置との間を移動する際には、閉塞部材が、一つの面に接触しないので、可動部の移動が閉塞部材に妨げられることを防止でき、可動部をスムーズに移動させることができる。
【００１２】
また、案内部が、可動部が開放位置に位置付けられると、閉塞部材を駆動機構の突没部材に当接させる構成となっていても良い。この場合、可動部が開放位置に位置付けられると、閉塞部材によって該可動部が機器本体に固定されることとなって、可動部が機器本体に対して振動することを防止でき、可動部と機器本体との間などから異音が発生することを防止できる。
【実施例】
【００１３】
本発明の一実施例にかかる電子機器としてのカーオーディオ１を図１乃至図９を参照して説明する。図１などに示すカーオーディオ１は、移動体としての自動車のインストルメントパネルに装着される。カーオーディオ１は、図１ないし図４に示すように、機器本体２と、可動部としての操作表示ユニット３と、操作表示ユニット３を後述の前面１０ａ即ち機器本体２に対し移動させる駆動機構４（図６ないし図９に示す）と、閉塞部材６（図５に示す）などを備えている。
【００１４】
機器本体２は、箱状に形成されたケース５と、このケース５内に収容される図示しないシャーシと、前記ケース５内に収容されるＤＶＤプレーヤ７等の再生装置とを備えている。ケース５は、インパネに取り付けられると露出する前面（一つの面に相当する）１０ａと、この前面１０ａの全ての辺に立設するように一体成形された複数の立設壁１０ｃと、これら複数の立設壁１０ｃの縁に連なった図示しない背面壁とを備えている。
【００１５】
シャーシは、板金などからなり、平板状の底シャーシと、この底シャーシの幅方向の両縁から立設した側シャーシと、を備えている。底シャーシは、機器本体２のケース５の図１中の底に位置する一つの立設壁１０ｃ上に重ねられている。
【００１６】
図示例では、ケース５内には、記録媒体としてのナビゲーション用のＤＶＤ−ＲＯＭや映像を記録した記録媒体としてのＤＶＤを再生可能なＤＶＤプレーヤ７や、ラジオ放送を受信するＡＭ／ＦＭチューナ８、テレビ放送波を受信するテレビチューナ９等を収容している。これらのＤＶＤプレーヤ７やチューナ８，９は、例えば、操作表示ユニット３に設けられた後述する押しボタン１８等を使用者が押圧することによって動作する。
【００１７】
また、前面１０ａには、図６乃至図９に示すように、前記ＤＶＤプレーヤ７にＤＶＤやＤＶＤ−ＲＯＭを挿入するための挿入口としてのスリット１３が設けられている。即ち、スリット１３は、機器本体２にＤＶＤやＤＶＤ−ＲＯＭなどの記録媒体を出し入れ自在としている。また、当該スリット１３の裏側には、ＤＶＤやＤＶＤ−ＲＯＭなどが通過可能なスリットを設けた布３２が貼り付けられている。
【００１８】
操作表示ユニット３は、液晶ディスプレイ（ＬＣＤ：Liquid Crystal Display）などからなる画像情報等を表示する表示パネル１４と、複数の押しボタン１８とを備えている。操作表示ユニット３は、表示パネル１４に、ＤＶＤプレーヤ７によって再生された地図情報、ＤＶＤプレーヤが再生したＤＶＤに記憶された映像やテレビチューナが受信したテレビ放送波の映像等を表示する。
【００１９】
押しボタン１８は、操作表示ユニット３の情報を表示する表示パネル１４と同一平面上の外表面に複数設けている。押しボタン１８は、使用者により押圧されることにより操作される。これらの押しボタン１８が操作されることにより、ケース５の内部に収容されたＤＶＤプレーヤ７及びチューナ８，９等が動作する。
【００２０】
操作表示ユニット３は、他端部としての上端部３ａが前面１０ａに沿ってスライド自在にケース５即ち機器本体２に取り付けられ、一端部としての下端部３ｂが前面１０ａから突没自在に設けられている。
【００２１】
また、押しボタン１８が操作されることにより、操作表示ユニット３が図１に示す第１の位置と、図２に示す第２の位置と、図４に示す第３の位置とに亘って移動される。操作表示ユニット３は、駆動機構４の動作により、後述のガイド溝２０内をローラ１９が移動することで、第１の位置と第２の位置と第３の位置とに亘って移動される。
【００２２】
操作表示ユニット３は、第１の位置と、第２の位置と、第３の位置とに順に移動される。また、操作表示ユニット３は、第３の位置と、第２の位置と、第１の位置とに順に移動される。このとき、操作表示ユニット３の下端部３ｂが、前記前面１０ａから突没するとともに、操作表示ユニット３の上端部３ａが前面１０ａに沿ってスライドする。
【００２３】
第１の位置では、操作表示ユニット３は、図１及び図６に示すように、前面１０ａの全体を覆っている。第１の位置は、特許請求の範囲に記載された覆い位置をなしている。第１の位置では、操作表示ユニット３の情報を表示する表示パネル１４が前面１０ａと平行に配置されている。
【００２４】
第３の位置では、操作表示ユニット３は、図４及び図９に示すように、前述した前面１０ａの殆ど全体を開放して当該前面１０ａに設けられたスリット１３を開放している。即ち、第３の位置では、操作表示ユニット３が前面１０ａを開放している。第３の位置は、特許請求の範囲に記載された開放位置をなしている。第３の位置では、操作表示ユニット３の情報を表示する表示パネル１４が前面１０ａと略直交している。
【００２５】
第２の位置では、図２及び図７に示すように、操作表示ユニット３がスリット１３を覆い隠している。第２の位置は、特許請求の範囲に記載された傾斜位置をなしている。第２の位置では、操作表示ユニット３の情報を表示する表示パネル１４が前面１０ａに対して傾いている即ち操作表示ユニット３が前面１０ａに対して傾いている。また、通常の使用では、操作表示ユニット３は、前述した第２の位置に位置付けられて、各種の情報を表示する。さらに、操作表示ユニット３は、前述した第２の位置において、押しボタン１８が押圧操作されることで、その傾きが微小に変更される。なお、図２及び図７に示された操作表示ユニット３は、第２の位置の最も第３の位置寄りに位置付けられている。
【００２６】
例えば、押しボタン１８のうちの選択ボタン（例えば、ＤＶＤプレーヤ７を選択するためのボタン）やＯＰＥＮボタンが押圧操作されると、操作表示ユニット３が駆動機構４によりスライド移動される。すなわち、選択ボタンによりＤＶＤやＤＶＤ―ＲＯＭが選択されると、駆動機構４によって操作表示ユニット３が前述した第３の位置までスライド移動される。
【００２７】
このように、ＯＰＥＮボタンが押圧操作されることにより、操作表示ユニット３が機器本体２のケース５の前面１０ａに形成されたスリット１３が開放される第３の位置までスライド移動される。そして、ＤＶＤやＤＶＤ―ＲＯＭ等の所望の記録媒体がスリット１３から挿入又は排出されると、操作表示ユニット３は、駆動機構４により前述した第２の位置まで移動される。
【００２８】
そして、例えば、使用者が押しボタン１８のうち再生（プレイ）ボタンやサーチボタン等を操作することにより、ＤＶＤやＤＶＤ―ＲＯＭの再生や、サーチ動作等が行われるとともに、使用者が押しボタン１８を操作することにより操作表示ユニット３の傾きが変更される。
【００２９】
なお、これらのスライド移動は、図示せぬマイコン等が駆動機構４の図示しないモータの回転方向や回転数を制御することにより行われる。つまり、マイコンが使用者による押しボタン１８の操作や、ＤＶＤやＤＶＤ―ＲＯＭ等が挿入されたことを認識して、その操作等に応じたスライド位置となるようにモータの回転方向やその回転数を制御して、操作表示ユニット３をスライド移動させる。
【００３０】
駆動機構４は、図６ないし図９に示すように、突没部材としての可動アーム１５と、駆動源としての図示しないモータと、案内部１６とを備えている。可動アーム１５は、一方向に沿って直線状に延びた帯状に形成されている。可動アーム１５は、その長手方向が前述した前面１０ａに対し直交（交差）する状態でシャーシに支持されている。可動アーム１５は、その長手方向に沿ってスライド自在に、シャーシに支持されている。このため、可動アーム１５は、前面１０ａに対し直交（交差）する方向に沿ってスライド自在に設けられている。可動アーム１５は、スライドすることで、特に操作表示ユニット３寄りの一端部１５ａが前面１０ａから突没する。
【００３１】
可動アーム１５は、シャーシの両側シャーシの内面上に設けられている。また、各可動アーム１５の一端部１５ａには、孔が形成されている。孔には、操作表示ユニット３の下端部３ｂの両側面に設けられたピンが回転自在に嵌合している。このため、可動アーム１５は、操作表示ユニット３の下端部３ｂを回転自在に支持しており、操作表示ユニット３とともに移動する。
【００３２】
前記モータは、各可動アーム１５を長手方向に沿ってシャーシに対しスライド移動させる。つまり、モータの駆動力によって、各可動アーム１５は前面１０ａの下方に形成された図示せぬ貫通孔を通してシャーシの内外方向に移動される。
【００３３】
案内部１６は、図１乃至図４に示すように、ローラ１９と、ガイド溝２０とを備えている。ローラ１９は、円筒状に形成されかつ操作表示ユニット３の上端部３ａの両側面に回転自在に支持されている。ローラ１９は、ガイド溝２０に係合して、軸芯周りに回転することでガイド溝２０に沿って移動自在に設けられている。このとき、ローラ１９は、ガイド溝２０と接触する。
【００３４】
ガイド溝２０は、第１の位置に位置付けられた操作表示ユニット３の両側に位置する立設壁１０ｃの操作表示ユニット３寄りの内面に設けられている。即ち、ガイド溝２０は、機器本体２に設けられている。
【００３５】
ガイド溝２０は、鉛直方向に延在しており、立設壁１０ｃの内面から凹に形成されている。このガイド溝２０は、図１乃至図４に示すように、第１押圧部２１と、傾斜部２２と、直線部２３と、第２押圧部２４とを備えている。第１押圧部２１は、ガイド溝２０の第１の位置に位置付けられた操作表示ユニット３の上端部３ａ寄りの端部に設けられている。第１押圧部２１は、その上端にローラ１９を位置付けることで、操作表示ユニット３を前述した第１の位置に位置付けるとともに、その下端にローラ１９を位置付けることで、操作表示ユニット３を前述した第２の位置に位置付ける。第１押圧部２１は、その内側にローラ１９を位置付けることで、後述する閉塞部材６を前面１０ａに密着（当接）させる。
【００３６】
傾斜部２２は、一端が第１押圧部２１の下端に連なり、この第１押圧部２１の下端から第１の位置に位置付けられた操作表示ユニット３の下端部３ｂに向かいかつ前面１０ａから離れる方向に延在している。傾斜部２２は、前面１０ａに対して交差する方向に直線状に延在している。傾斜部２２は、その内側にローラ１９を位置付けると、操作表示ユニット３を第２の位置と第３の位置との間に位置付ける。
【００３７】
直線部２３は、その一端が傾斜部２２の他端に連なり第１の位置に位置付けられた操作表示ユニット３の表示パネル１４の表面に沿って直線状に延在している。直線部２３は、その内側にローラ１９を位置付けると、操作表示ユニット３を第２の位置と第３の位置との間に位置付ける。
【００３８】
第２押圧部２４は、その一端が直線部２３の他端に連なり、この直線部２３の他端から第１の位置に位置付けられた操作表示ユニット３の下端部３ｂに向かいかつ前面１０ａから離れる方向に延在している。第２押圧部２４は、ガイド溝２０の第１の位置に位置付けられた操作表示ユニット３の下端部３ｂ寄りの端部に設けられている。第２押圧部２４は、前面１０ａに対して交差する方向に直線状に延在している。第２押圧部２４は、その下端にローラ１９を位置付けると、操作表示ユニット３を前述した第３の位置に位置付ける。第２押圧部２４は、その下端にローラ１９を位置付けることで、後述する閉塞部材６を可動アーム１５に密着（当接）させる。
【００３９】
前述した構成の駆動機構４は、モータからの駆動力を受けて、各可動アーム１５がシャーシの内外方向に移動する。また、各可動アーム１５がシャーシの内外方向に移動することで、操作表示ユニット３の下端部３ｂが前面１０ａから突没し、該操作表示ユニット３の上端部３ａに設けられたローラ１９がガイド溝２０に沿って摺動する即ち上端部３ａが前面１０ａに沿って移動する。
【００４０】
すなわち、モータからの駆動力を受けて各可動アーム１５が機器本体２のシャーシの外方向に移動することにより、操作表示ユニット３は、その外表面が上方に向くようにして倒される。そして、操作表示ユニット３は、シャーシの前面１０ａを開放する第３の位置に位置付けられる。また、可動アーム１５が機器本体２のシャーシの内方向に移動することにより、倒された状態にある操作表示ユニット３は前面１０ａを覆う第１の位置に移動され、ローラ１９はガイド溝２０の第１押圧部２１の上端に位置付けられる。
【００４１】
前述した操作表示ユニット３及び可動アーム１５は、モータからの駆動力により機器本体２に対し第１の位置と第２の位置と第３の位置とに亘って順に移動される。操作表示ユニット３は、本明細書に記した可動部をなしている。
【００４２】
閉塞部材６は、図５に示すように、第１の位置に位置付けられた操作表示ユニット３の前面１０ａに相対する背面３ｃに取り付けられている（設けられている）。閉塞部材６は、操作表示ユニット３の上端部３ａに取り付けられ、当該操作表示ユニット３の幅方向に沿って直線状に延在している。閉塞部材６は、弾性変形又は変形自在な材料で構成されている。即ち、閉塞部材６は、塑性変形以外の各種の変形が自在な材料で構成されている即ち変形自在な材料で構成されている。図示例では、閉塞部材６は、発泡体としてのポリウレタンフォームで構成されている。
【００４３】
閉塞部材６は、操作表示ユニット３が図１に示すように前述した第１の位置に位置付けられると、図６に示すように前記前面１０ａに密に接触（密着）して、弾性変形するとともに、前述したスリット１３の全体を塞ぐ。また、閉塞部材６は、操作表示ユニット３が図２に示すように前述した第２の位置に位置付けられると、図７に示すように、前記前面１０ａに密に接触（密着）して、弾性変形するとともに、前述したスリット１３の全体を塞ぐ。
【００４４】
さらに、閉塞部材６は、操作表示ユニット３が前述した第１の位置と第２の位置との間に位置付けられると、前記前面１０ａに密に接触（密着）して、弾性変形するとともに、前述したスリット１３の全体を塞ぐ。このように、閉塞部材６は、ローラ１９がガイド溝２０の第１押圧部２１内に位置付けられる即ち操作表示ユニット３が第１の位置、第１の位置と第２の位置との間、第２の位置に位置付けられると、前面１０ａに密着（当接）して、スリット１３全体を塞ぐ。即ち、閉塞部材６は、案内部１６によって、操作表示ユニット３が第１の位置と第２の位置との間に位置付けられると、前面１０ａに密着（当接）して、スリット１３全体を塞ぐ。
【００４５】
また、閉塞部材６は、操作表示ユニット３が第２の位置と第３の位置との間に位置付けられると、ローラ１９がガイド溝２０の傾斜部２２と直線部２３とのうち一方に位置付けられて、前面１０ａから離間する。即ち、閉塞部材６は、案内部１６によって、操作表示ユニット３が図３に示すように第２の位置と第３の位置との間に位置付けられると、図８に示すように、前面１０ａから離間する。このように、案内部１６は、操作表示ユニット３が第１の位置から第２の位置に位置付けられると閉塞部材６が前面１０ａに当接してスリット１３全体を塞ぎ、操作表示ユニット３が第２の位置と第３の位置との間に位置付けられると閉塞部材６が前面１０ａから離間するように、操作表示ユニット３を案内する。
【００４６】
さらに、閉塞部材６は、操作表示ユニット３が図４に示すように第３の位置に位置付けられると、図９に示すように、ローラ１９がガイド溝２０の第２押圧部２４の下端に位置付けられて、可動アーム１５に密に当接（密着）して、弾性変形する。このように、案内部１６は、操作表示ユニット３が第３の位置に位置付けられると、閉塞部材６を可動アーム１５に当接させる構成となっている。
【００４７】
前述した構成のカーオーディオ１は、操作表示ユニット３に地図情報やテレビ放送波等
の映像を表示する際には、操作表示ユニット３を図２及び図７に示す第２の位置に位置付ける。カーオーディオ１は、機器本体２にＤＶＤやＤＶＤ−ＲＯＭなどの記録媒体を出し入れする際には、操作表示ユニット３を図４及び図９に示す第３の位置に位置付ける。カ−オーディオ１は、操作表示ユニット３を、図１及び図２に示すように第１の位置と第２の位置との双方及びこれらの間に位置付けると、図６及び図７に示すように、閉塞部材６を前面１０ａに当接させて、スリット１３全体を塞ぐ。
【００４８】
また、カ−オーディオ１は、操作表示ユニット３を、図３に示すように、第２の位置と第３の位置との間に位置付けると、図８に示すように、閉塞部材６を前面１０ａから離間させて、スリット１３全体を開放する。さらに、カ−オーディオ１は、操作表示ユニット３を、図４に示すように、第３の位置に位置付けると、図９に示すように、閉塞部材６を可動アーム１５に当接させる。
【００４９】
さらに、カーオーディオ１は、前述した押しボタン１８を押圧することで、操作表示ユニット３を第２の位置において、任意の傾きに変更可能となっている。即ち、カーオーディオ１は、第２の位置において、操作表示ユニット３の角度を任意に変更可能としている。
【００５０】
本実施例によれば、操作表示ユニット３が第１の位置、第１の位置と第２の位置との間、第２の位置に位置付けられると、閉塞部材６が機器本体２の前面１０ａに当接して、スリット１３を完全に塞ぐ。このため、通常の使用状態である第２の位置に操作表示ユニット３が位置付けられると、閉塞部材６がスリット１３を完全に塞ぐので、スリット１３内に黄砂などの微小なごみや埃が侵入することを確実に防止できる。
【００５１】
また、操作表示ユニット３が第２の位置に位置付けられると、閉塞部材６が機器本体２の前面１０ａに当接させる。このため、操作表示ユニット３が第２の位置に位置付けられると、閉塞部材６によって該操作表示ユニット３が機器本体２に固定されることとなって、操作表示ユニット３が機器本体２に対して振動することを防止でき、操作表示ユニット３と機器本体２との間などから異音が発生することを防止できる。
【００５２】
また、閉塞部材６が変形自在な材料で構成されても良い。この場合、閉塞部材６と機器本体２の前面１０ａとが確実に密着するので、スリット１３内に如何なるごみや埃などが侵入することをより確実に防止できる。なお、本発明でいう閉塞部材６を構成する変形自在な材料とは、塑性変形を除く各種の変形が自在な材料を示している。即ち、本発明では、閉塞部材６を、変形自在な材料で構成している。
【００５３】
さらに、駆動機構４が、操作表示ユニット３が第２の位置と第３の位置との間に位置付けられると、閉塞部材６を機器本体２の前面１０ａから離間させる案内部１６を備えている。このため、操作表示ユニット３が第２の位置と第３の位置との間を移動する際には、閉塞部材６が、前面１０ａに接触しないので、操作表示ユニット３の移動が閉塞部材６が前面１０ａに擦れて当該閉塞部材６により妨げられることを防止でき、操作表示ユニット３をスムーズに移動させることができる。
【００５４】
また、案内部１６が、操作表示ユニット３が第３の位置に位置付けられると、閉塞部材６を駆動機構４の可動アーム１５に当接させる構成となっている。このため、操作表示ユニット３が第３の位置に位置付けられると、閉塞部材６によって該操作表示ユニット３が機器本体２に固定されることとなって、操作表示ユニット３が機器本体２に対して振動することを防止でき、操作表示ユニット３と機器本体２との間などから異音が発生することを防止できる。
【００５５】
前述した実施例では、閉塞部材６を操作表示ユニット３の背面３ｃに固定している。しかしながら、本発明では、図１０乃至図１４に示すように、閉塞部材６を円筒状に形成し、該閉塞部材６内に芯金３０を通して閉塞部材６を上端部３ａに操作表示ユニット３の表示パネル１４の表面に沿ってスライド自在とするとともに、芯金３０即ち閉塞部材６を操作表示ユニット３の上端部３ａよりも外方向に付勢するばね３１を設けても良い。なお、図１０乃至図１４において、前述した実施例と同一部分には、同一符号を付して説明を省略する。また、図１０乃至図１４では、案内部１６を省略しているが、この場合も勿論案内部１６を備えている。
【００５６】
この場合においても、図１２に示すように、操作表示ユニット３が第１の位置に位置付けられると、閉塞部材６が前面１０ａに当接してスリット１３全体を塞ぎ、図１３に示すように、操作表示ユニット３が第２の位置に位置付けられると、閉塞部材６が前面１０ａに当接してスリット１３全体を塞ぐとともに、操作表示ユニット３が第１の位置と第２の位置との間に位置付けられると、閉塞部材６が前面１０ａに当接してスリット１３全体を塞ぐ。
【００５７】
さらに、この場合においても、操作表示ユニット３が第２の位置と第３の位置との間に位置付けられると、閉塞部材６が前面１０ａから離間してスリット１３を開放するとともに、操作表示ユニット３が第３の位置に位置付けられると、図１４に示すように、閉塞部材６が可動アーム１５に当接する。
【００５８】
この図１０乃至図１４に示す場合においても、前述した実施例と同様の効果を奏でる。
【００５９】
前述した実施例では、ガイド溝２０を機器本体２に設け、ローラ１９を操作表示ユニット３に設けている。本発明では、ガイド溝２０を操作表示ユニット３に設け、ローラ１９を機器本体２に設けても良い。さらに、本発明では、第１の位置と第２の位置とのうちの少なくとも一方に操作表示ユニット３が位置付けられると、閉塞部材６が前面１０ａに当接してスリット１３を塞いでも良い。
【００６０】
前述した実施例では、操作表示ユニット３の外表面に押しボタン１８を複数設けている。しかしながら、本発明では、表示パネル１４に所謂タッチスイッチ（タッチパネルとも呼ぶ）を設けても良いことは勿論である。さらに、前述した実施例では、可動部として、操作表示ユニット３を設けている。しかしながら、本発明では、可動部としての種々の物品を設けても良い。
【００６１】
前述した実施例によれば、以下のカーオーディオ１が得られる。
【００６２】
（付記）  機器本体２と、
この機器本体２に対して移動自在に設けられた操作表示ユニット３と、
前記操作表示ユニット３を、前記機器本体２の前面１０ａを覆う覆い位置と、前記前面１０ａに対して傾いた傾斜位置と、前記機器本体２の前面１０ａを開放する開放位置とに亘って移動させる駆動機構４と、を備えたカーオーディオ１において、
前記前面１０ａに設けられて前記機器本体２に記録媒体を出し入れ自在とするスリット１３と、
前記操作表示ユニット３の前記前面１０ａに相対する背面３ｃに取り付けられかつ前記操作表示ユニット３が前記覆い位置と前記傾斜位置の少なくとも一方に位置付けられると前記前面１０ａに当接して前記スリット１３を塞ぐ閉塞部材６と、を備えたことを特徴とするカーオーディオ１。
【００６３】
付記によれば、操作表示ユニット３が第１の位置と第２の位置とのうち少なくとも一方に位置付けられると、閉塞部材６が機器本体２の前面１０ａに当接して、スリット１３を完全に塞ぐ。このため、通常の使用状態である第１の位置と第２の位置とのうち少なくとも一方に操作表示ユニット３が位置付けられると、閉塞部材６がスリット１３を完全に塞ぐので、スリット１３内に黄砂などの微小なごみや埃が侵入することを確実に防止できる。
【００６４】
また、操作表示ユニット３が第２の位置に位置付けられると、閉塞部材６が機器本体２の前面１０ａに当接させる。このため、操作表示ユニット３が第２の位置に位置付けられると、閉塞部材６によって該操作表示ユニット３が機器本体２に固定されることとなって、操作表示ユニット３が機器本体２に対して振動することを防止でき、操作表示ユニット３と機器本体２との間などから異音が発生することを防止できる。
【００６５】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【００６６】
【図１】本発明の一実施例にかかるカーオーディオの操作表示ユニットが第１の位置に位置付けられた状態の外観を示す斜視図である。
【図２】図１に示されたカーオーディオの操作表示ユニットが第２の位置に位置付けられた状態を示す斜視図である。
【図３】図１に示されたカーオーディオの操作表示ユニットが第２の位置と第３の位置との間に位置付けられた状態を示す斜視図である。
【図４】図１に示されたカーオーディオの操作表示ユニットが第３の位置に位置付けられた状態を示す斜視図である。
【図５】図１に示されたカーオーディオの操作表示ユニットに取り付けられた閉塞部材を示す斜視図である。
【図６】図１に示されたカーオーディオの要部を側方からみた状態を示す説明図である。
【図７】図２に示されたカーオーディオの要部を側方からみた状態を示す説明図である。
【図８】図３に示されたカーオーディオの要部を側方からみた状態を示す説明図である。
【図９】図４に示されたカーオーディオの要部を側方からみた状態を示す説明図である。
【図１０】図５に示されたカーオーディオの操作表示ユニットに取り付けられた閉塞部材の変形例を示す斜視図である。
【図１１】図１０中のＸＩ−ＸＩ線に沿う断面図である。
【図１２】図１０に示されたカーオーディオの操作表示ユニットが第１の位置に位置付けられた状態を側方からみた説明図である。
【図１３】図１０に示されたカーオーディオの操作表示ユニットが第２の位置に位置付けられた状態を側方からみた説明図である。
【図１４】図１０に示されたカーオーディオの操作表示ユニットが第３の位置に位置付けられた状態を側方からみた説明図である。
【符号の説明】
【００６７】
１  カーオーディオ（電子機器）
２  機器本体
３  操作表示ユニット（可動部）
３ａ  上端部（他端部）
３ｂ  下端部（一端部）
３ｃ  背面
４  駆動機構
６  閉塞部材
１０ａ  前面（一つの面）
１３  スリット（挿入口）
１５  可動アーム（突没部材）
１６  案内部
【図１】
2008226350.tif 000003
【図２】
2008226350.tif 000004
【図３】
2008226350.tif 000005
【図４】
2008226350.tif 000006
【図５】
2008226350.tif 000007
【図６】
2008226350.tif 000008
【図７】
2008226350.tif 000009
【図８】
2008226350.tif 000010
【図９】
2008226350.tif 000011
【図１０】
2008226350.tif 000012
【図１１】
2008226350.tif 000013
【図１２】
2008226350.tif 000014
【図１３】
2008226350.tif 000015
【図１４】
2008226350.tif 000016